(57)【要約】      （修正有）【課題】外装部材の下方への降下による下部の損傷を防ぐとともに、梱包費用を低減した梱包装置を提供する。【解決手段】被梱包物が載置される下部部材４と、被梱包物の側面および下部部材の側面４２を覆う外装部材３と、を有する。外装部材は、外装部材の内面よりも内側に突出し、下部部材の上端４３に当接して外装部材を保持する複数の係合部３１を備える。【選択図】図１
2019151363.tif 000002
【特許請求の範囲】
【請求項１】
被梱包物が載置される下部部材と、
前記被梱包物の側面および前記下部部材の側面を覆う外装部材と、を有する梱包装置において、
前記外装部材にその内面よりも内側に突出し、前記下部部材の上端に当接して前記外装部材を保持する複数の係合部を備える梱包装置。
【請求項２】
前記外装部材の下端は、前記下部部材の下端より上方に位置する請求項１に記載の梱包装置。
【請求項３】
前記外装部材は複数のコーナ部を有し、
前記係合部は前記複数のコーナ部の少なくとも２つに備えられる請求項１または請求項２に記載の梱包装置。
【請求項４】
前記係合部は前記外装部材に一体に形成された突出部である請求項３に記載の梱包装置。
【請求項５】
前記外装部材は段ボールからなり、前記突出部の上下２辺は前記外装部材から切り離され、左右２辺は前記外装部材につながっている請求項４に記載の梱包装置。
【請求項６】
前記被梱包物の上部を覆う上部部材と、
前記上部部材と前記外装部材と前記下部部材とを締結するバンドを有する請求項１乃至請求項５に記載の梱包装置。
【請求項７】
前記被梱包物は空気調和機の室外機である請求項１乃至請求項６の梱包装置。
【発明の詳細な説明】
【技術分野】
【０００１】
本発明の実施形態は、梱包装置に関する。
【背景技術】
【０００２】
従来の梱包装置として、特許文献１に示されるように、被梱包物の下部と側面とを別部材で覆って梱包するものが知られている。これらの梱包装置は、まず被梱包物を梱包装置の下部部材に載せてから被梱包物の側面および上面を覆う部材をかぶせて、それらをバンドで締結している。
【先行技術文献】
【特許文献】
【０００３】
【特許文献１】特開２００８−１６８５３９号公報
【発明の概要】
【発明が解決しようとする課題】
【０００４】
また、従来の梱包装置には、下部部材と、側面を覆う外装部材と、上面を覆う上部部材とを締結するバンドから構成されているものがある。外装部材は被梱包材の側面とともに下部部材の側面まで覆っているため下方に降下しやすく、梱包作業時には、外装部材が下方へ降下しないように作業者が支えながら、または外装部材と上部部材とをあらかじめテープで固定してからバンドを締めるが、被梱包物が大きい場合には梱包装置の大型化から重量も増え、梱包作業を複数人で行わなければならない。またテープの使用によって梱包部品が増加し、梱包費用が高くなってしまう。さらに、テープは梱包部材とゴミを分別する必要があり、環境面からも望ましいものではなかった。
また、ローラコンベアなどに載せた際に外装部材が下方へ降下して外装部材の下端がローラとローラの間に挟まり、損傷する問題があった。
【０００５】
本発明が解決しようとする課題は、外装部材の下方への降下による下部の損傷を防ぐとともに、梱包費用を低減した梱包装置を提供することである。
【課題を解決するための手段】
【０００６】
上記課題を達成するために、実施形態の梱包装置は、被梱包物が載置される下部部材と、前記被梱包物の側面および前記下部部材の側面を覆う外装部材と、を有する。前記外装部材に前記外装部材の内面よりも内側に突出し、前記下部部材の上端に当接して前記外装部材を保持する複数の係合部を備える。
【図面の簡単な説明】
【０００７】
【図１】本実施形態による空気調和機の室外機およびこれを梱包する梱包装置の一部を除いた構成を示す図。
【図２】本実施形態による室外機を梱包した梱包装置の斜視図。
【図３】本実施形態の外装部材の突出部を示す拡大図。
【図４】本実施形態の組立前の外装部材を示す図。
【図５】本実施形態の梱包装置の平面断面を示す概略図。
【発明を実施するための形態】
【０００８】
以下、発明を実施するための実施形態について図面を参照して説明する。
図１は、本実施形態の被梱包物である空気調和機の室外機１０と、室外機１０を梱包する梱包装置１の構成を示し、図２は室外機１０を梱包した梱包装置１の斜視図である。    
【０００９】
室外機１０は、概ね直方体形状であり、その底面には室外機１０本体を支える脚部１１が設けられている。
梱包装置１は、室外機１０が載置される下部部材４と、室外機１０の側面を覆う外装部材３と、室外機１０の上部を覆う上部部材２を有する。これら３つの部材４，３，２は段ボール製である。
【００１０】
下部部材４は底面４１と、側面を有し、上部が開口した箱状である。下部部材４の内部には室外機１０の損傷を防ぐとともに、梱包装置１内で室外機１０が移動するのを防ぐため、緩衝材として発砲スチロール４４が敷き詰められている。発砲スチロール４４は室外機１０の脚部１１や底部１２の形状に合わせた溝や凹部４５が設けられている。
この緩衝材４４は、例えばハニークッションやハニーボール等の段ボール材であっても良く、またはパルプモールドでも良い。また、室外機１０の重量が重い場合には下部部材に木材でできた補強材を敷いて、その上に室外機１０を載置することが望ましい。
【００１１】
上部部材２は上面２１と側面２２を有する。上部部材２は室外機１０の上部に被せられる。本実施形態では、室外機１０に包装カバー５が被せられ、その上から上部部材２が被せられている。
【００１２】
外装部材３は上下が開口した筒状である。外装部材３の内周長は下部部材４および上部部材２の外周長よりも大きく、外装部材３は室外機１０の側面を覆うとともに、その下部３７と上部３６で下部部材４の側面４２と上部部材２の側面２２を覆っている。
【００１３】
外装部材３は４つのコーナ部３８a、３８ｂ、３８ｃおよび３８ｄのうち対角線上に位置する２つのコーナ部３８ｂと３８ｄ（またはコーナ部３８aと３８ｃ）の下方に、内面に突出する係合部である突出部３１が設けられている。図３は外装部材３の突出部３１を示す拡大図であり、本実施形態の突出部３１は、外装部材３に一体に形成されている。詳細には図３に示すように、上下２か所に設けられた横方向の切込み３２，３３によって外装部材３から切り離される。左右の２辺は外装部材３につながっているため、上下の切込み３２，３３の間の部分だけがコーナ部折り曲げ線３９をコーナ部３８ｂ，３８ｄの折り曲げ方向とは反対の方向、つまり外装部材３の内面側にほぼ直角となるように折り曲げられている。突出部３１は下部部材４の上端４３に当接されて外装部材３を保持する係合部である。
【００１４】
なお、本実施形態の外装部材３は図４に示す１つのコーナ部折り曲げ線３９を備えた１枚板状の段ボールを２枚組み合わせたものである。この段ボールの両端部１３０，１３１を結合させてから筒状に広げることで、２つのコーナ部折り曲げ線３９と２つの結合部１３２がコーナ部３８となる。突出部３１はあらかじめ上下に切込み３２，３３を設けておけば、段ボールを筒状に組み立てた後に切込み３２と切込み３３の間を内側に向けて手で軽く押すことで容易に形成することができる。
【００１５】
下部部材４と上部部材２と外装部材３は、図２に示すように上下方向でまとめてバンド７で締結されている。
【００１６】
次に本実施形態の梱包装置１の組立手順について説明する。
まず、室外機１０を下部部材４に載せる。室外機１０の脚部１１や底面を下部部材４に設けられた溝や凹部４５に沿って嵌めこみ、固定させる。
次に室外機１０の上部に包装カバー５を被せ、外装部材３を室外機１０の側面を覆うように室外機１０の上方から下方に向けて真っ直ぐに被せる。図５は梱包装置１の平面断面図である。なお、下部部材４に設けられる室外機１０および発砲スチロール４４は省略している。外装部材３の下方が下部部材４の側面を覆う位置まで下げると、外装部材３の内面に突出した突出部３１の下端３５が下部部材４の上端４３にあたり、位置が固定される。作業者が外装部材３から手を放しても外装部材３は降下することはない。
【００１７】
このとき外装部材３の下端３ａが地面に接しないために、外装部材３の下端３ａは少なくとも下部部材４の下端４ａよりも上に位置させるのが良い。厳密には、下部部材４の下端４ａから外装部材３の下端３ａまでの高さ寸法Ｈが３ｍｍ以上あれば確実に外装部材３の下端３ａが地面に接するのを防ぐことができる。
【００１８】
一方で、外装部材３の下端３ａが下部部材４の下端４ａから大きく離れていると梱包装置１の下部に余計な段差がついた形状となり、梱包装置１の外観が損われてしまう。そのため、外装部材３は下部部材４の側面４２を覆う位置で固定されるよう、梱包装置１の寸法Ｈは１０ｍｍ以内あるのが好ましい。この範囲とすることで、
【００１９】
次に上部部材２を室外機１０の上部に被せる。この時、上部部材２は外装部材３に嵌めこまれるように室外機１０の上部を覆っている。
【００２０】
最後に、下部部材４と上部部材２と外装部材３とをバンド７で締結する。複数の箇所をバンド７で下部部材４の下から通して上部部材２の上までまとめて締め付ける。
【００２１】
以上説明した実施形態の梱包装置１によれば、外装部材３の下方に下部部材４の上端４３に当接されて外装部材３を保持する係合部である突出部３１を備えるので、外装部材３の降下を防ぐことが可能となる。これにより、梱包作業時に外装部材の降下による損傷を防ぎ、作業者が外装部材３を支えながらバンドで締結したり、テープ６で固定する必要がないため、作業効率が向上するとともに、梱包費用を低減することができる。また、テープ６を使用しないためゴミを削減することもできる。
【００２２】
外装部材３に設けられる突出部３１は、外装部材３の下端３ａが下部部材４の下端４ａよりも上に位置し、かつ外装部材３が下部部材４の側面４２を覆う位置で、外装部材が固定される位置とした。これにより外装部材３の下端３ａの損傷を確実に防ぐとともに、梱包装置１の見栄えを良くすることができる。
【００２３】
本実施形態の梱包装置１は、４つのコーナ部３８を有する直方体形状の梱包装置１としたが、被梱包物ごとに異なる形状をするものであっても良い。また、係合部である突出部３１を外装部材３の対角線上にある２つのコーナ部３８ｂ，３８ｄに設けたが、それ以外のコーナ部３８に設けても良い。少なくとも対角線状の２つのコーナ部３８に設けることにより、下部部材４の上端４３に係合した突出部３１によって外装部材３の高さ位置を保持することができる。突出部３１を多く形成することで、より安定して保持することができる。
【００２４】
また、本実施形態では係合部である突出部を外装部材と一体としたが、これに限らず、例えば、外装部材の組み立ての前後に別部材を取り付けるものであっても良い。
【００２５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。
【符号の説明】
【００２６】
１…梱包装置、２…上部部材、３…外装部材、４…下部部材、７…バンド、１０…室外機、３１…突出部（係合部）、３２，３３…切欠き部、３８ａ，３８ｂ，３８ｃ，３８ｄ…コーナ部、４３…上端部
【図１】
2019151363.tif 000003
【図２】
2019151363.tif 000004
【図３】
2019151363.tif 000005
【図４】
2019151363.tif 000006
【図５】
2019151363.tif 000007